(57)【要約】      （修正有）【課題】転倒防止機構を備えることで、側板が不用意に内外いずれの方向にも倒れる心配を無くしたボックスパレットを提供する。【解決手段】ボックスパレットは、基台１１と、基台の側縁部に起伏自在に連結されている側板１５等と、側板をその起立姿勢から内方への転倒を防止する転倒防止機構３１とを備えている。上記の転倒防止機構は、基台の縁部に固定されかつ同縁部から上向きに突出させられている心柱４１と、側板にその高さ方向に移動自在に連結されている係合リング４２とを備えており、係合リングは、側板の起立時に、心柱にはめ被せられうるようになされていると、心柱に対する係合リングの係合・離脱を、係合リングを側板に高さ方向に移動させることにより、内方転倒防止操作を簡単に行うことができる。【選択図】図２
0003173860.tif 000002
【実用新案登録請求の範囲】
【請求項１】
基台と、基台の側縁部に起伏自在に連結されている側板と、側板をその起立姿勢から内方への転倒を防止する転倒防止機構とを備えているボックスパレット。
【請求項２】
転倒防止機構は、基台の縁部に固定されかつ同縁部から上向きに突出させられている心柱と、側板にその高さ方向に移動自在に連結されている係合リングとを備えており、係合リングは、側板の起立時に、心柱にはめ被せられうるようになされている請求項１に記載のボックスパレット。
【請求項３】
側板は、金網製のものであって、並列状に配列された複数の縦網線材を備えており、少なくとも１つの縦網線材は、係合リングの移動を自在とするように係合リングに通されている請求項２に記載のボックスパレット。
【請求項４】
側板は、隣り合う上下の横網線材を備えており、両横網線材は、係合リングを側板高さ方向から挟んでその両側に位置させられている請求項３に記載のボックスパレット。
【請求項５】
両横網線材にこれの内側に接触させられた補強網線材が渡されており、補強網線材は、係合リングを挟んでこれに通された縦網線材と平行にのびている請求項４に記載のボックスパレット。
【請求項６】
さらに、側板を起立姿勢に保持する姿勢保持機構を備えており、基台は、金網製のものであって、側縁部において起立させられている複数の並列状起立縦網線材と、起立縦網線材の上端に渡されかつ側板の下位の横網線材に隣接させられている支持用横網線材とを備えおり、姿勢保持機構は、隣接させられた両横網線材に渡されている横断面Ｕ字状ヒンジ板を備えており、ヒンジ板は、Ｕ字状のなす円弧状部で側板の下位の横網線材にその回転を自由とするように当接させられまたがらされかつ開口縁部で支持用横網線材を両側から挟んで固定されている請求項３〜５のいずれか１つに記載のボックスパレット。
【請求項７】
基台の起立縦網線材上端面に、起立時の側板の縦網線材下端面が当接させられ、この状態で、同側板は、垂直姿勢から外方に傾斜させられようになされている請求項６のボックスパレット。
【考案の詳細な説明】
【技術分野】
【０００１】
この考案は、折り畳み式ボックスパレットに関する。
【背景技術】
【０００２】
この種のボックスパレットとしては、基台と、基台の側縁部に起伏自在に連結されている側板と、側板を起立姿勢に保持する姿勢保持機構とを備えているものが知られている。
【０００３】
この種のパレットでは、収納時に、基台上に折り畳まれていた前側板、後側板および左右の側板を、使用時に、拡げて組立るようにしている。組立に際しては、まず、左右の側板を広げて、姿勢保持機構によって、垂直姿勢から外方に１０度程度傾斜させた状態に保持する。つぎに、前側板および後側板を広げて、これを起立姿勢の側板に連結する。広げられた側板は、垂直姿勢から外方に傾斜させられているため、一応、安定姿勢には保持される。しかしながら、何らかの衝撃等が側板に作用すると、側板は内方に転倒する可能性があり、危険である。
【考案の概要】
【考案が解決しようとする課題】
【０００４】
この考案の目的は、側板が不用意に内方向に倒れる心配が無く、安全なボックスパレットを提供することにある。
【課題を解決するための手段】
【０００５】
この考案によるボックスパレットは、基台と、基台の側縁部に起伏自在に連結されている側板と、側板をその起立姿勢から内方への転倒を防止する転倒防止機構とを備えているものである。
【０００６】
この考案によるボックスパレットでは、転倒防止機構が備わっているため、各側板をその起立姿勢から内方および外方のいずれの方向への転倒を防止することができる。
【０００７】
さらに、転倒防止機構は、基台の縁部に固定されかつ同縁部から上向きに突出させられている心柱と、側板にその高さ方向に移動自在に連結されている係合リングとを備えており、係合リングは、側板の起立時に、心柱にはめ被せられうるようになされていると、心柱に対する係合リングの係合・離脱を、係合リングを側板に高さ方向に移動させることにより、内方転倒防止操作を簡単に行うことができる。
【０００８】
また、側板は、金網製のものであって、並列状に配列された複数の縦網線材を備えており、少なくとも１つの縦網線材は、係合リングの移動を自在とするように係合リングに通されていると、縦網線材にそって係合リングを移動させることできるため、係合リングの移動を安全かつ確実に行うことができる。
【０００９】
また、側板は、隣り合う上下の横網線材を備えており、両横網線材は、係合リングを側板高さ方向から挟んでその両側に位置させられていると、係合リングに対して両横網線材がストッパの機能を果たすため、係合リングをコンパクトに収納することができる。
【００１０】
また、両横網線材にこれの内側に接触させられた補強網線材が渡されており、補強網線材は、係合リングを挟んでこれに通された縦網線材と平行にのびていると、係合リングを移動させる際に、補強縦網線材がガイドの機能を果たすため、係合リングを安定姿勢で移動させることができる。
【００１１】
また、さらに、側板を起立姿勢に保持する姿勢保持機構を備えており、基台は、金網製のものであって、側縁部において起立させられている複数の並列状起立縦網線材と、起立縦網線材の上端に渡されかつ側板の下位の横網線材に隣接させられている支持用横網線材とを備えおり、姿勢保持機構は、隣接させられた両横網線材に渡されている横断面Ｕ字状ヒンジ板を備えており、ヒンジ板は、Ｕ字状のなす円弧状部で側板の下位の横網線材にその回転を自由とするように当接させられかつ開口縁部で支持用横網線材を両側から挟んで固定されていると、側板を起伏させるための構造を、コンパクトに構成することができる。
【００１２】
また、基台の起立縦網線材上端面に、起立時の側板の縦網線材下端面が当接させられ、この状態で、同側板は、垂直姿勢から外方に傾斜させられるようになされていると、同上端面および下端面がストッパの機能を果たすため、同側板を、垂直姿勢から外方に傾斜させた姿勢に保持することができ、この状態で、心柱に対する係合リングの係合・離脱を、安全姿勢で行うことがてきる。
【考案の効果】
【００１３】
この考案によれば、側板が不用意に内方向に倒れる心配が無く、安全なボックスパレットが提供される。
【図面の簡単な説明】
【００１４】
【図１】この考案によるボックスパレットの斜視図である。
【図２】同ボックスパレットの要部拡大斜視図である。
【図３】同ボックスパレットの動作説明図である。
【考案を実施するための形態】
【００１５】
以下の説明において、前後とは、図１の矢印Aで示す側を前、これと反対側を後といい、左右とは、前方から見て、左右の側を左右というものとする。
【００１６】
図１を参照すると、ボックスパレットは、方形状基台11と、基台11上面四辺にそれぞれ立てられている前側板12、後側板13、左側板14および右側板15とよりなる。
【００１７】
これらの側板12〜15は、隣り合うもの同士直交させられ、かつ、いずれも、金網主体構造のものであって、基台11上に重なるように折り畳み可能となっている。
【００１８】
前側板12、後側板13、左側板14および右側板15の隣り合う者同士は、第１〜第４連結機構21〜24によって分離可能に連結されている。
【００１９】
基台11の右縁部および右側板15の下縁部が交差させられたカ所には、１つの右側転倒防止機構31および４つの右側姿勢保持機構32が、前から後にかけて、順次、配列されている。図示しないが、基台11の左縁部および左側板14の下縁部が交差させられたカ所にも、１つの左側転倒防止機構および４つの左側姿勢保持機構が、右側転倒防止機構31および右側姿勢保持機構32と同じように配列されている。右側および左側転倒防止機構31は、同一構造のものである。右側および左側姿勢保持機構32は、同一構造のものである。
【００２０】
図２に、右側転倒防止機構31および最前端の右側姿勢保持機構32が詳しく示されている。
【００２１】
転倒防止機構31は、基台11から上向きに突出させられている垂直板状心柱41と、心柱41に離脱自在にはめ被せられている係合させられている係合リング42とを備えている。姿勢保持機構32は、横断面Ｕ字状ヒンジ板43を備えている。
【００２２】
基台11は、多数の網線材を略水平格子状に配列したものであって、前から後にかけて順次並べられた第１〜第３左右方向網線材51〜53を有している。各左右方向網線材51〜53の右端部には上向き折曲状第１〜第３起立網線材51A〜53Aがそれぞれ設けられている。各起立網線材51A〜53Aの上端部左側には前後方向にのびた支持用横網線材54が当接させられている。
【００２３】
右側板15は、多数の網線材を略垂直格子状に配列したものであって、下から上にかけて順次並べられた第１〜第３横網線材61〜63と、前から後にかけて順次並べられた第１〜第３縦網線材71〜73とを備えている。第１横網線材61は、支持用横網線材54に上側から当接させられている。第１〜第３横網線材61〜63を挟んで第１〜第３縦網線材71〜73の反対側には、第１〜第３縦網線材71〜73と平行にのびている第１〜第３補強用縦網線材81〜83が第１〜第３横網線材61〜63に渡されている。
【００２４】
第１および第２左右方向網線材51、52の起立網線材51A、52Aにこれらに渡って垂直板状取付板91が固定されており、これの右側面に心柱41が上方突出状に固定されている。
【００２５】
係合リング42は、第２および第３横網線材62、63間において第１および第２縦網線材71、72にこれらに渡ってはめ被せられている。
【００２６】
ヒンジ板43は、上下に隣接させられた第１横網線材61および支持用横網線材54にまたがらされて、ヒンジ板43のなすＵ字状の円弧状部で第１横網線材61の回転を自由とするように第１横網線材61に当接させられるるとともに、ヒンジ板43のなすＵ字状の開口縁部で支持用横網線材54を左右両側から挟んで固定されている。
【００２７】
図３に示すように、右側板15は、第１横網線材61を中心として左右方向に揺動して、起伏させられる。右側板15が垂直状態から右方に１０度程度傾いた時点で、第１〜第３縦網線材71〜73の下端面は、第１〜第３左右方向網線材51〜53の起立網線材51A〜53Aの上端面に当接させられ、これ以上、右側板15は、傾斜することはできず、これにより、右側板15が起立姿勢に保持される。
【００２８】
右側板15を折り畳み状態から広げる際に、右側板15が垂直姿勢近くになり、心柱41に係合リング42が衝突しそうになった時点で、係合リング42を持ち上げて、双方の干渉を避ける。その後、右側板15がほぼ垂直状態となった時点で、持ち上げていた係合リング42を降ろすと、心柱41に係合リング42がはめ被せられる。そうすると、右側板15は、垂直姿勢を越えて、左方に転倒することはない。これの逆の手順で、心柱41から係合リング42が外される。
【産業上の利用可能性】
【００２９】
この考案による折り畳み式ボックスパレットは、物流製品を搬送するために用いられることを達成するのに適している。
【符号の説明】
【００３０】
11  基台
14、15  側板
31  転倒防止機構
32  姿勢保持機構
【図１】
0003173860.tif 000003
【図２】
0003173860.tif 000004
【図３】
0003173860.tif 000005